(57)【要約】      （修正有）【課題】箱庭や坪庭等を構築する際に、配置する置物の形状と配置方法とによって実際に使用しているスペース以上の奥行きがあるように錯覚させ、趣のある景観を提供する。【解決手段】配置する置物のパースを変形させ、配置位置を調整することにより正面から見た景観の手前側をより大きく、奥側をより小さく強調して、見る人の遠近感に錯覚を起こさせることによって奥行きを深く印象付ける風景を作り出す。【選択図】図１
0003142307.tif 000002
【実用新案登録請求の範囲】
【請求項１】
正面から見た際に全体的な景観の前面部から後方部にかけて順次後方部が小さく見えるように縮尺を調整して箱庭や坪庭を配置したことを特徴とする装飾用置物。
【請求項２】
前記装飾用置物は、置物自体が一定方向からみて前面を大きく、後方部を小さく見えるように強調されたパースで形成されることを特徴とした請求項１に記載の装飾用置物。
【請求項３】
前記装飾用置物は、その大半の素材を陶器または磁器から形成されることを特徴とした請求項１と請求項２に記載の装飾用置物。
【考案の詳細な説明】
【技術分野】
【０００１】
本考案は、坪庭や箱庭などに配置する置物の形状とその配置方法に関するものである。
【背景技術】
【０００２】
坪庭や箱庭に配置される置物、例えば家屋のミニチュアなどの場合は実際の家屋をそのまま縮小したような形状をとり、実際のスペース以上の広さや奥行きを感じさせる庭を作り出すことができない。
【考案の開示】
【考案が解決しようとする課題】
【０００３】
本考案の目的は、箱庭や坪庭などを作る際に、置物の形状とその配置方法によって実際に使用するスペース以上の奥行きがあるように見える独特の趣のある景観を提供することである。
【課題を解決するための手段】
【０００４】
本考案は坪庭や箱庭を構成する部品のパースを変形させ、作り出される景観の前面をより大きく、後面より小さく強調し、正面から見た場合に透視図法によって描かれた絵画のように奥行きや遠近感があるようにみえる風景を作り出し、見る人に正確に縮小したミニチュアで構成された坪庭以上の奥行きや広さがあるような錯覚を起こさせることにより問題を解決している。
【考案の効果】
【０００５】
箱庭のパースを変形させることにより、近くのものは大きく見え、遠くのものは小さく見えるという人の遠近感に錯覚を起こさせて実際のスペース以上の奥行きと広さがあるように見える風景を正面に作り出す。
【考案を実施するための最良の形態】
【０００６】
以下、添付図面を参照して、本考案に従う置物の一実地形態について説明する。
【０００７】
図２に示すように土台１の上に装飾用置物が置かれる。置物本体の形状は前面を大きく、後方を小さくなるようにパースを変える。置物はそれぞれ配置場所が決まっており、配置ごとにその形状とスケールが異なる。図１に示すように、基本的に前面部に置かれる置物ほど全体のスケールが大きく、後部に配置される置物ほど小さなスケールをとることになる。
【０００８】
置物の形状の違いは前後の位置だけで無く、左右によっても異なる。例えば左手前に配置される置物２は図３のように前面部よりも後部が小さく、前面の辺よりも後部の辺が右寄りにある。また、右側より左側がパースの変化を強調するような形状を取る。右手前に置かれる置物３はこれとは逆に後部の辺が左寄りにあり、右側のパースの変化が強調される。
【０００９】
また、図１の水平線６から判るように土台１自体に傾斜を設けることにより、正面から見た景観が奥から手前に来るにしたがって大きく広がるように見え、見る人に実際よりも奥行きが深い錯覚を与えることができる。
【図面の簡単な説明】
【００１０】
【図１】本考案の一実地形態の置物で構成される箱庭を左から見た図
【図２】本考案の一実地形態の置物で構成される箱庭を正面から見た図
【図３】図２で手前左に置かれる置物を真上から見た図
【図４】図２で手前左に置かれる置物を正面から見た図
【図５】図２で手前左に置かれる置物を右側から見た図
【図６】図２で手前左に置かれる置物を裏から見た図
【図７】図２で手前左に置かれる置物を左側から見た図
【符号の説明】
【００１１】
１  土台
２  左手前配置用置物
３  右手前配置用置物
４  左奥配置用置物
５  右奥配置用置物
６  水平線
【図１】
0003142307.tif 000003
【図２】
0003142307.tif 000004
【図３】
0003142307.tif 000005
【図４】
0003142307.tif 000006
【図５】
0003142307.tif 000007
【図６】
0003142307.tif 000008
【図７】
0003142307.tif 000009
【手続補正書】
【提出日】平成20年3月31日(2008.3.31)
【手続補正１】
【補正対象書類名】実用新案登録請求の範囲
【補正対象項目名】全文
【補正方法】変更
【補正の内容】
【実用新案登録請求の範囲】
【請求項１】
真上から見たときの形状が四辺形をなすとともに、上下の辺が平行であり、下辺の一方の内角度を８５度から６０度、もう一方の下辺内角度を９５度から１２０度の範囲で設定したことを特徴とする装飾用置物。
【請求項２】
前記置物を手前から奥に向けて高くなる傾斜１５度から３０度の坂に設置するとともに、左右の一方から見た時、坂の傾斜が高くなるにつれて上部の辺が下がっていく形状としたことを特徴とする請求項１に記載の装飾用置物。
【請求項３】
その大半の素材を陶器または磁器から形成されることを特徴とした請求項１または請求項２に記載の装飾用置物。
【手続補正２】
【補正対象書類名】明細書
【補正対象項目名】全文
【補正方法】変更
【補正の内容】
【考案の詳細な説明】
【技術分野】
【０００１】
本考案は、坪庭や箱庭などに配置する置物の形状とその配置方法に関するものである。
【背景技術】
【０００２】
坪庭や箱庭に配置される置物、例えば家屋のミニチュアなどの場合は実際の家屋をそのまま縮小したような形状をとり、実際のスペース以上の広さや奥行きを感じさせる庭を作り出すことができない。
【考案の開示】
【考案が解決しようとする課題】
【０００３】
本考案の目的は、箱庭や坪庭などを作る際に、置物の形状とその配置方法によって実際に使用するスペース以上の奥行きがあるように見える独特の趣のある景観を提供することである。
【課題を解決するための手段】
【０００４】
本考案は坪庭や箱庭を構成する置物の外観を変形させて、正面から見た場合に透視図法によって描かれた絵画のように奥行きや遠近感があるようにみえる風景を作り出し、見る人に正確に縮小したミニチュアで構成された坪庭以上の奥行きや広さがあるような錯覚を起こさせることにより問題を解決している。
【考案の効果】
【０００５】
置物の外観を変形させることにより、近くのものは大きく見えて遠くのものは小さく見える、という人間の遠近感に錯覚を起こさせて、実際のスペース以上の奥行きと広さがあるように見える風景を正面に作り出す。
【考案を実施するための最良の形態】
【０００６】
以下、添付図面を参照して、本考案に従う置物の一実地形態について説明する。
【０００７】
図２に示すように土台１の上に装飾用置物が置かれる。図１は図２を左から見た図である。土台１の傾斜は２０度で置物２から５はそれぞれ手前から少しずつ小さくなる。図３は土台１の左側に配置する置物２を真上から見た図であり、このとき上の辺と下の辺は並行であり、左下の内角の角度は７５度で右下の内角は１００度である。同じく左側に配置される置物４は置物２と同様の角度をとり、なおかつ土台の奥に置かれるため全体のスケールを置物２よりも小さく作られる。
【０００８】
左側におかれる置物３は置物２とは左右を逆にした角度で作る。同じく左に置かれる置物５は置物３と同様の角度をとり、なおかつ土台の奥に置かれるためスケールを置物３よりも小さく作られる。
【０００９】
このように形状を変形させられた置物を傾斜のある土台に配置することによって図２のように手前から奥に行くにつれてものが小さくなっており、正面から見る人の遠近感に錯覚を引き起こさせる風景を作り出し、実際のスペースよりも奥行きが深い印象を与えることができる。
【図面の簡単な説明】
【００１０】
【図１】本校案の一実地形態の置物で構成される箱庭を左から見た図
【図２】本校案の一実地形態の置物で構成される箱庭を正面から見た図
【図３】図２で手前左に置かれる置物を真上から見た図
【図４】図２で手前左に置かれる置物を正面から見た図
【図５】図２で手前左に置かれる置物を右側から見た図
【図６】図２で手前左に置かれる置物を裏から見た図
【図７】図２で手前左に置かれる置物を左側から見た図
【符号の説明】
【００１１】
１  土台
２  左手前配置用置物
３  右手前配置用置物
４  左奥配置用置物
５  右奥配置用置物
６  水平線
【手続補正３】
【補正対象書類名】図面
【補正対象項目名】図３
【補正方法】変更
【補正の内容】
【図３】
0003142307.tif 000010